(57)【要約】【課題】光リンクが切断された場合に、速やかにデータ通信を開始する方法、ＯＬＴ、ＰＯＮシステムを得る。【解決手段】加入者側光終端装置と光カプラを介して接続され通信を行うＰＯＮシステムの局側光終端装置は、前記加入者側光終端装置との光リンクを確立し通信を開始する際に、前記加入者側光終端装置を認証する認証部、前記加入者側光終端装置へデータを送受信する送受信部、光リンクが切断された場合に、光リンクを再確立して前記加入者側光終端装置とのデータ通信を開始するよう制御する通信制御部を備え、前記通信制御部は、前記認証部による前記加入者側光終端装置の認証が完了する前に、前記送受信部が前記加入者側終端装置へのデータ送受信を開始するよう制御する。【選択図】図１
2011124702.tif 000002
【特許請求の範囲】
【請求項１】
加入者側光終端装置と光カプラを介して接続され通信を行うＰＯＮシステムの局側光終端装置において、
前記加入者側光終端装置との光リンクを確立しデータ送受信を開始する際に、前記加入者側光終端装置を認証する認証部、
前記加入者側光終端装置とデータを送受信する送受信部、
光リンクが切断された場合に、光リンクを再確立して前記加入者側光終端装置とのデータ送受信を開始するよう制御する通信制御部を備え、
前記通信制御部は、前記認証部による前記加入者側光終端装置の認証が完了する前に、前記送受信部が前記加入者側終端装置とのデータ送受信を開始するよう制御することを特徴とする局側光終端装置。
【請求項２】
前記認証部、前記送受信部、前記通信制御部と同様の機能を有する予備系認証部、予備系送受信部、および予備系通信制御部をさらに備え、
前記予備系通信制御部は、前記送受信部から前記予備系送受信部への切替によって光リンクが切断された場合に、前記予備系認証部による前記加入者側光終端装置の認証が完了する前に、前記予備系送受信部が前記加入者側終端装置とのデータ送受信を開始するよう制御することを特徴とする請求項１に記載の局側光終端装置。
【請求項３】
局側光終端装置と加入者側光終端装置と光カプラを介して接続され通信を行うＰＯＮシステムにおいて、
前記局側光終端装置は、前記加入者側光終端装置との光リンクを確立しデータ送受信を開始する際に、前記加入者側光終端装置を認証する認証部、
前記加入者側光終端装置とデータを送受信する送受信部、
光リンクが切断された場合に、光リンクを再確立して前記加入者側光終端装置とのデータ送受信を開始するよう制御する通信制御部を備え、
前記通信制御部は、前記認証部による前記加入者側光終端装置の認証が完了する前に、前記送受信部が前記加入者側終端装置とのデータ送受信を開始するよう制御することを特徴とするＰＯＮシステム。
【請求項４】
前記局側光終端装置は、前記認証部、前記送受信部、前記通信制御部と同様の機能を有する予備系認証部、予備系送受信部、および予備系通信制御部をさらに備え、
前記予備系通信制御部は、前記送受信部から前記予備系送受信部への切替によって光リンクが切断された場合に、前記予備系認証部による前記加入者側光終端装置の認証が完了する前に、前記予備系送受信部が前記加入者側終端装置とのデータ送受信を開始するよう制御することを特徴とする請求項３に記載のＰＯＮシステム。
【請求項５】
前記加入者側光終端装置は、光リンク確立およびＯＮＵ認証に関するデータ以外の全てのデータを破棄する動作を初期設定動作として、ＯＮＵ認証完了後は自端末宛に送信されたデータのみを受信し他のデータを破棄する動作を行い、電源入後は初期設定動作を行うことを特徴とする請求項３または４に記載のＰＯＮシステム。
【請求項６】
前記加入者側光終端装置は、光リンク確立およびＯＮＵ認証に関するデータ以外の全てのデータを破棄する動作を初期設定動作として、ＯＮＵ認証完了後は自端末宛に送信されたデータのみを受信し他のデータを破棄する動作を行い、電源入後は電源断直前の設定動作を維持することを特徴とする請求項３または４に記載のＰＯＮシステム。
【発明の詳細な説明】
【技術分野】
【０００１】
この発明はパッシブ光ネットワーク（ＰＯＮ：Ｐａｓｓｉｖｅ  Ｏｐｔｉｃａｌ  Ｎｅｔｗｏｒｋ）システムに関わる発明であり、局側光終端装置と加入者側光終端装置間に光リンクの切断が発生した場合に局側光終端装置と加入者側光終端装置とがデータ送受信を開始するシーケンスに関するものである。
【背景技術】
【０００２】
ＰＯＮシステムではセンター局に配置される局側光終端装置ＯＬＴ（Ｏｐｔｉｃａｌ  Ｌｉｎｅ  Ｔｅｒｍｉｎａｌ）に光ファイバおよび光カプラを経由して複数の加入者側光終端装置ＯＮＵ（Ｏｐｔｉｃａｌ  Ｎｅｔｗｏｒｋ  Ｕｎｉｔ）を接続する。ＯＬＴからＯＮＵへのデータ送信は全てのデータをＯＬＴから全ＯＮＵに送信し、ＯＮＵは自端末宛に送信されたデータのみを受信し他のデータを破棄するという方法を採用している。
【０００３】
この１本のファイバで複数のＯＮＵを収容するＰＯＮシステムではファイバやＯＬＴに障害が発生するとＯＬＴと全ＯＮＵ間に光リンクの切断が発生し、ユーザへサービス提供ができなくなる。このサービス断につながる装置障害を減らす方法として予備系装置を設けて冗長構成をとる方法が広く用いられている。特許文献１ではＯＬＴが、Ｎ個の現用系光送受信盤に対し１個の予備系光送受信盤を設けるＮ：１の冗長構成をとったＰＯＮシステムを開示している。この場合、Ｎ個の現用系光送受信盤は、対応するＮ本の光ファイバと光カプラを経由して複数のＯＮＵに接続する。また、特許文献２ではＯＬＴが、１個の現用系光送受信盤と１個の予備系光送受信盤で１：１の冗長構成をとったＰＯＮシステムを開示している。
【先行技術文献】
【特許文献】
【０００４】
【特許文献１】特開  ２０００−３３２８５７号公報
【特許文献２】特開  ２００７−１３５１１９号公報
【発明の概要】
【発明が解決しようとする課題】
【０００５】
特許文献１で開示されているようなＯＬＴがＮ個の現用系光送受信盤に対し１個の予備系光送受信盤を設けるＮ：１の冗長構成をとるＰＯＮシステムでは、ＯＬＴを構成するＮ個の現用系光送受信盤のうちの１個に障害が発生した場合、予備系光送受信盤へと切替を実施する。切替の際に、現用系光送受信盤と現用系光送受信盤に接続されていた全ＯＮＵ間に光リンクの切断が発生する。このため切替後予備系光送受信盤は、現用系光送受信盤に接続されていた全ＯＮＵに対し光リンク確立処理を実施する。予備系光送受信盤は各ＯＮＵとの光リンク確立完了後、それぞれのＯＮＵに対してＯＮＵ認証処理を実施したのちに各ＯＮＵとのデータ送受信を開始する。このようにＮ：１の冗長構成をとるＰＯＮシステムでは予備系光送受信盤への切替時には、切替からデータ送受信開始までの間に光リンク確立とＯＮＵ認証処理が必要となり、その間予備系光送受信盤と各ＯＮＵ間はデータ送受信ができず、予備系送受信盤においてＯＮＵへ送信すべきデータフレームが破棄されてしまうデータフレームロス状態となっている。
【０００６】
一方、特許文献２では、ＯＬＴが１個の現用系光送受信盤と１個の予備系光送受信盤とで１：１の冗長構成をとるＰＯＮシステムにおいて、１個の現用系光送受信盤に障害が発生した場合、データフレームロスを発生させること無く予備系光送受信盤への切替が可能なシステムを開示している。しかしながらこのＰＯＮシステムでは現用系光送受信盤と予備系光送受信盤とでデータ共有化やデータ同期化が必要となり、Ｎ個の現用系光送受信盤に対し１個の予備系光送受信盤を設けるＮ：１の冗長構成をとるＯＬＴには適用できない。
【０００７】
本発明は、現用系光送受信盤と予備系光送受信盤とでデータ共有化やデータ同期化をせずとも、現用系光送受信盤から予備系光送受信盤へ切替後速やかにデータ送受信を開始する方法、ＯＬＴ、ＰＯＮシステムを得ることを目的とする。
【課題を解決するための手段】
【０００８】
この発明に係る加入者側光終端装置と光カプラを介して接続され通信を行うＰＯＮシステムの局側光終端装置は、前記加入者側光終端装置との光リンクを確立しデータ送受信を開始する際に、前記加入者側光終端装置を認証する認証部、前記加入者側光終端装置とデータを送受信する送受信部、光リンクが切断された場合に、光リンクを再確立して前記加入者側光終端装置とのデータ送受信を開始するよう制御する通信制御部を備え、前記通信制御部は、前記認証部による前記加入者側光終端装置の認証が完了する前に、前記送受信部が前記加入者側終端装置とのデータ送受信を開始するよう制御することを特徴とする。
【発明の効果】
【０００９】
この発明によれば、たとえばＯＬＴが現用系光送受信盤と予備系光送受信盤とで冗長構成をとるＰＯＮシステムにおいて、現用系光送受信盤から予備系光送受信盤への切替により現用系光送受信盤に接続する全ＯＮＵと光リンクの切断が発生したような場合、切替後の予備系光送受信盤が光リンク確立後ＯＮＵ認証処理完了前にデータ送受信を開始することにより、切替後速やかに予備系光送受信盤と全ＯＮＵ間のデータ送受信の開始が可能となる。
【図面の簡単な説明】
【００１０】
【図１】本発明の実施の形態１におけるＮ：１冗長構成のＰＯＮシステム
【図２】本発明の実施の形態１における現用系光送受信盤
【図３】本発明の実施の形態１における予備系光送受信盤
【図４】本発明の実施の形態１におけるＮ：１冗長構成のＰＯＮシステム
【図５】本発明の実施の形態１おけるＯＬＴにＯＮＵが新規に接続した場合のデータ送受信までのシーケンス図
【図６】本発明の実施の形態１および実施の形態２における本発明における切替指令時のデータ送受信までのシーケンス図
【図７】本発明の実施の形態２におけるＮ：１冗長構成のＰＯＮシステム
【図８】本発明の実施の形態２における本発明におけるＯＮＵの自端末向けデータ抽出機能状態遷移図
【図９】本発明の実施の形態３におけるＰＯＮシステム
【図１０】本発明の実施の形態３における光送受信盤
【図１１】本発明の実施の形態３におけるＯＮＵ電源断後電源入時のデータ送受信までのシーケンス図
【図１２】本発明の実施の形態３におけるＯＮＵの自端末向けデータ抽出機能状態遷移図
【発明を実施するための形態】
【００１１】
実施の形態１．
本発明の実施の形態１を、図を用いて説明する。図１はＮ：１冗長構成のＰＯＮシステムのブロック図であり、局側光終端装置ＯＬＴ１は、通信事業者が有するセンター局に配置され、複数の現用系光送受信盤１１ａ、１１ｂ、１１ｃ、予備系光送受信盤１２、切替スイッチ１３と、制御盤１４とを備える。現用系光送受信盤１１ａは、光ファイバ４と光カプラ５を経由して、複数の加入者側光終端装置ＯＮＵ２ａ、２ｂと接続する。
【００１２】
図２は現用系光送受信盤１１ａのブロック図であり、現用系光送受信盤１１ａは、接続した各ＯＮＵとの光リンクを確立しデータ送受信を開始する際に、各ＯＮＵを認証する認証部１１１ａ、各ＯＮＵとデータを送受信する送受信部１１２ａ、これらの処理を制御する通信制御部１１３ａを含む。図３は予備系光送受信盤１２のブロック図であり、予備系光送受信盤１２は、現用系光送受信盤１１ａと同様の機能を有する予備系認証部１２１、予備系送受信部１２２、予備系通信制御部１２３を備える。現用系光送受信盤１１ｂ、１１ｃも、現用系光送受信盤１１ａと同様の機能を有し、それぞれ光ファイバと光カプラを経由して、図示しない複数の加入者側光終端装置ＯＮＵと接続する。
【００１３】
ＯＬＴ１は１個以上（例えばＮ個、Ｎは１以上の整数）の現用系光送受信盤と１個の予備系光送受信盤によるＮ：１冗長構成をとるために、現用系光送受信盤の１つと予備系光送受信盤１２とを切替える切替スイッチ１３と、これらを制御する制御盤１４とを設けている。切替スイッチ１３は、予備系光送受信盤１２に接続される予備系光送受信入出力１０２、各現用系光送受信盤１１ａ、１１ｂ、１１ｃにそれぞれ接続される現用系光送受信入出力１０１ａ、１０１ｂ、１０１ｃから構成される。
【００１４】
また、現用系光送受信盤１１ａは、ＯＬＴ１の上位装置（図示せず）からデータを受信し、フォーマット変換等の処理を行った後、処理後のデータを接続されるＯＮＵ２ａ、２ｂ宛へ送信する。送信されたデータは光ファイバ４を通り、光カプラ５で分岐され、複数のＯＮＵ２ａ、２ｂへ到達する。ＯＮＵ２ａ、２ｂは送信されたデータの中から自端末宛のデータのみ受信し他のデータを破棄する。
【００１５】
逆に、複数のＯＮＵ２ａ、２ｂから出力されたデータは光カプラ５でまとめられ、光ファイバ４を通り接続している現用系光送受信盤１１ａへ送信される。複数のＯＮＵ２ａ、２ｂは自端末に割り当てられた時間のみデータを出力することによって、現用系光送受信盤１１ａとのポイント・トゥ・マルチポイントのデータ通信を行っている。上記と同様に、他の現用系光送受信盤１１ｂ、１１ｃも、それぞれ接続する複数のＯＮＵとポイント・トゥ・マルチポイントのデータ通信を行っている。
【００１６】
ここで、図４のようにＯＬＴ１に新規のＯＮＵ２１が接続された場合の現用系光送受信盤１１ａの動作を図５を用いて説明する。現用系光送受信盤１１ａに光ファイバ４、光カプラ５を介して新規のＯＮＵ２１が接続されると（ステップ３１）、現用系光送受信盤１１ａはＯＮＵ２１とデータ送受信を開始するために光リンク確立処理を実施する（ステップ３２）。現用系光送受信盤１１ａはＯＮＵ２１との光リンク確立完了後、ＯＮＵ２１に対してＯＮＵ認証処理を行い（ステップ３３）、ＯＮＵ認証処理完了後、ＯＮＵ２１とのデータ送受信を開始する（ステップ３４）。
【００１７】
次に、現用系光送受信盤１１ａに障害が発生した場合の動作を図６を用いて説明する。監視制御信号線１５を介して現用系光送受信盤１１ａに障害が発生したことを検知した制御盤１４は、監視制御信号線１５を介して切替スイッチ１３に対し現用系光送受信盤１１ａを予備系光送受信盤１２に切替えるよう切替指令を行う（ステップ４１）。切替スイッチ１３は前記切替指令により、予備系光送受信入出力１０２と現用系光送受信入出力１０１ａを接続する。これにより予備系光送受信盤１２は予備系光送受信入出力１０２、現用系光送受信入出力１０１ａを通り光ファイバ４および光カプラ５を経由して複数のＯＮＵ２ａ、２ｂと接続される。
【００１８】
制御盤１４が切替スイッチ１３へ切替指令を行い、切替スイッチ１３が現用系光送受信盤１１ａから予備系光送受信盤１２へ切替える際、現用系光送受信盤１１ａとデータ送受信中であった複数のＯＮＵ２ａ、２ｂとの間に光リンクの切断が発生する（ステップ４２）。このため、予備系光送受信盤１２は光リンクの切断が発生している複数のＯＮＵ２ａ、２ｂを含む全ＯＮＵとデータ送受信を開始するために光リンク確立処理を実施する（ステップ４３）。予備系光送受信盤１２は各ＯＮＵとの光リンク確立完了後、それぞれのＯＮＵに対してＯＮＵ認証処理を行うが、このＯＮＵ認証処理が完了する前にデータ送受信を開始する（ステップ４４）。その後、予備系光送受信盤１２はデータ送受信している状態でＯＮＵ認証を完了する（ステップ４５）。尚、上記ＯＮＵ認証処理は、データ送受信開始後に開始するようにしてもよい。
【００１９】
このように、本発明の実施の形態１では、予備系光送受信盤１２への切替時は、ＯＮＵ認証完了前にデータ送受信を開始するシーケンスを採用したことにより、切替時からデータ送受信開始までの時間を短縮することができ、送信中のデータフレームロスを削減することができる。
【００２０】
実施の形態２．
本発明の実施の形態２を、図を用いて説明する。図７はＮ：１冗長構成のＰＯＮシステムのブロック図である。図１と同じ符号のものは同様の機能を有するので、説明を繰り返さない。現用系光送受信盤１１ａは、それぞれが光ファイバ４と光カプラ５を経由して、現用系光送受信盤１１ａがＯＮＵ認証済みの複数の認証済み加入者側光終端装置ＯＮＵ３１ａ、３１ｂおよび現用系光送受信盤１１ａがＯＮＵ認証していない未認証ＯＮＵ４１と接続する。
【００２１】
ＯＬＴ１は１個以上（例えばＮ個、Ｎは１以上の整数）の現用系光送受信盤と１個の予備系光送受信盤によるＮ：１冗長構成をとるために、現用系光送受信盤の１つと予備系光送受信盤１２とを切替える切替スイッチ１３と、これらを制御する制御盤１４とを設けている。切替スイッチ１３は、予備系光送受信盤１２に接続される予備系光送受信入出力１０２、各現用系光送受信盤１１ａ、１１ｂ、１１ｃにそれぞれ接続される現用系光送受信入出力１０１ａ、１０１ｂ、１０１ｃから構成される。
【００２２】
現用系光送受信盤１１ａは、ＯＬＴ１の上位装置（図示せず）からデータを受信し、フォーマット変換等の処理を行った後、処理後のデータを接続される認証済みＯＮＵ３１ａ、３１ｂ宛へ送信する。送信されたデータは光ファイバ４を通り、光カプラ５で分岐され、複数の認証済みＯＮＵ３１ａ、３１ｂへ到達する。認証済みＯＮＵ３１ａ、３１ｂは送信されたデータの中から自端末宛のデータのみ受信し他のデータを破棄する。現用系光送受信盤１１ａは、ＯＮＵ認証していない未認証ＯＮＵ４１宛データを送信しない。
【００２３】
逆に、複数の認証済みＯＮＵ３１ａ、３１ｂから出力されたデータは光カプラ５でまとめられ、光ファイバ４を通り接続している現用系光送受信盤１１ａへ送信される。複数の認証済みＯＮＵ３１ａ、３１ｂは自端末に割り当てられた時間のみデータを出力することによって、現用系光送受信盤１１ａとのポイント・トゥ・マルチポイントのデータ通信を行っている。上記と同様に、他の現用系光送受信盤１１ｂ、１１ｃも、それぞれ接続する複数のＯＮＵとポイント・トゥ・マルチポイントのデータ通信を行っている。
【００２４】
ここで、現用系光送受信盤１１ａに障害が発生した場合の動作を図６を用いて説明する。監視制御信号線１５を介して現用系光送受信盤１１ａに障害が発生したことを検知した制御盤１４は、監視制御信号線１５を介して切替スイッチ１３に対し現用系光送受信盤１１ａを予備系光送受信盤１２に切替えるよう切替指令を行う（ステップ４１）。切替スイッチ１３は前記切替指令により、予備系光送受信入出力１０２と現用系光送受信入出力１０１ａを接続する。これにより予備系光送受信盤１２は予備系光送受信入出力１０２、現用系光送受信入出力１０１ａを通り光ファイバ４および光カプラ５を経由して複数の認証済みＯＮＵ３１ａ、３１ｂおよび未認証ＯＮＵ４１と接続される。
【００２５】
制御盤１４が切替スイッチ１３へ切替指令を行い、切替スイッチ１３が現用系光送受信盤１１ａから予備系光送受信盤１２へ切替える際、現用系光送受信盤１１ａとデータ送受信中であった複数の認証済みＯＮＵ３１ａ、３１ｂとの間に光リンクの切断が発生する（ステップ４２）。このため、予備系光送受信盤１２は光リンクの切断が発生している複数の認証済みＯＮＵ３１ａ、３１ｂを含む全ＯＮＵとデータ送受信を開始するために光リンク確立処理を実施する（ステップ４３）。予備系光送受信盤１２は各ＯＮＵとの光リンク確立完了後、それぞれのＯＮＵに対してＯＮＵ認証処理を行うが、このＯＮＵ認証処理が完了する前にデータ送受信を開始する（ステップ４４）。その後、予備系光送受信盤１２はデータ送受信している状態でＯＮＵ認証を完了する（ステップ４５）。尚、上記ＯＮＵ認証処理は、データ送受信開始後に開始するようにしてもよい。
【００２６】
ここで、図８の状態遷移図を参照して、予備系光送受信盤１２から送信されたデータが未認証ＯＮＵ４１に到達した場合の動作を説明する。未認証ＯＮＵ４１がＯＮＵ認証されていないにもかかわらずデータ送受信が可能となることを防止するため、ＯＮＵは流入データのうち光リンク確立およびＯＮＵ認証に関するデータ以外の全てのデータを破棄する動作を初期設定動作とし、ＯＮＵ認証完了後は自端末宛に送信されたデータのみを受信し他のデータを破棄する動作を行い、電源断時は初期設定動作を行う。
【００２７】
すなわちＯＮＵ認証されていないＯＮＵは光リンク確立とＯＮＵ認証に関するデータ以外の全データを破棄するようにすることにより、予備系光送受信盤１２がＯＮＵ認証完了前にデータ送受信を開始しても、ＯＮＵ認証されていないＯＮＵ４１はデータを受信することができない。
【００２８】
このように、本発明の実施の形態２では、予備系光送受信盤１２への切替時は、ＯＮＵ認証完了前にデータ送受信を開始するシーケンスを採用したことにより、切替時からデータ送受信開始までの時間を短縮することができ、送信中のデータフレームロスを削減することができる。同時に、切替前に未認証ＯＮＵ４１が接続されていた場合に、予備系光送受信盤１２が未認証ＯＮＵ４１と不正なデータ送受信を行うことを防止することができる。
【００２９】
実施の形態３．
本発明の実施の形態３を、図を用いて説明する。実施の形態１および２では、本発明のシーケンスを冗長構成の現用系から予備系への切替時に用いるＰＯＮシステムを説明したが、実施の形態３では、本発明のシーケンスを認証済みＯＮＵの電源断時に用いるＰＯＮシステムについて説明する。図９は本実施の形態３のＰＯＮシステムのブロック図である。図１と同じ符号のものは同様の機能を有するので、説明を繰り返さない。局側光終端装置ＯＬＴ７１は、通信事業者が有するセンター局に配置され、複数の光送受信盤６１ａ、６１ｂ、６１ｃと制御盤６４とを備える。光送受信盤６１ａは、それぞれが光ファイバ４と光カプラ５を経由して、複数の加入者側光終端装置ＯＮＵ２ａ、２ｂと接続する。
【００３０】
図１０は光送受信盤６１ａのブロック図であり、光送受信盤６１ａは、接続した各ＯＮＵとの光リンクを確立しデータ送受信を開始する際に、各ＯＮＵを認証する認証部６１１ａ、各ＯＮＵとデータを送受信する送受信部６１２ａ、これらの処理を制御する通信制御部６１３ａを含む。光送受信盤６１ｂ、６１ｃも、光送受信盤６１ａと同様の機能を有し、それぞれ光ファイバと光カプラを経由して、図示しない複数の加入者側光終端装置ＯＮＵと接続する。
【００３１】
また、光送受信盤６１ａは、ＯＬＴ７１の上位装置（図示せず）からデータを受信し、フォーマット変換等の処理を行った後、処理後のデータを接続されるＯＮＵ２ａ、２ｂ宛へ送信する。送信されたデータは光ファイバ４を通り、光カプラ５で分岐され、複数のＯＮＵ２ａ、２ｂへ到達する。ＯＮＵ２ａ、２ｂは送信されたデータの中から自端末宛のデータのみ受信し他のデータを破棄する。
【００３２】
逆に、複数のＯＮＵ２ａ、２ｂから出力されたデータは光カプラ５でまとめられ、光ファイバ４を通り接続している光送受信盤６１ａへ送信される。複数のＯＮＵ２ａ、２ｂは自端末に割り当てられた時間のみデータを出力することによって、光送受信盤６１ａとのポイント・トゥ・マルチポイントのデータ通信を行っている。上記と同様に、他の光送受信盤６１ｂ、６１ｃも、それぞれ接続する複数のＯＮＵとポイント・トゥ・マルチポイントのデータ通信を行っている。
【００３３】
ここで、ＯＮＵ２ａが電源断後電源入となった場合の動作を図１１を用いて説明する。ＯＮＵ２ａが電源断後電源入となると（ステップ８１）、光送受信盤６１ａとＯＮＵ２ａとの間に光リンクの切断が発生する（ステップ８２）。このため、光送受信盤６１ａは光リンクの切断が発生しているＯＮＵ２ａとデータ送受信を開始するために光リンク確立処理を実施する（ステップ８３）。光送受信盤６１ａはＯＮＵ２ａとの光リンク確立完了後、ＯＮＵ２ａに対してＯＮＵ認証処理を行うが、このＯＮＵ認証処理が完了する前にデータ送受信を開始する（ステップ８４）。その後、光送受信盤６１ａはデータ送受信している状態でＯＮＵ認証を完了する（ステップ８５）。尚、上記ＯＮＵ認証処理は、データ送受信開始後に開始するようにしてもよい。
【００３４】
ここで、図１２の状態遷移図を参照して、光送受信盤６１ａから送信されたデータが電源断後電源入となったＯＮＵ２ａに到達した場合の動作を説明する。ＯＮＵ２ａが電源断前にＯＮＵ認証済みであるにもかかわらず電源入後再びＯＮＵ認証されるまでデータ送受信が開始されなくなるのを防止するため、ＯＮＵ認証完了後は自端末宛に送信されたデータのみを受信し他のデータを破棄する動作、電源断時は電源断直前の状態を維持する動作とする。未認証ＯＮＵがＯＮＵ認証されていないにもかかわらずデータ送受信が可能となることを防止するため、ＯＮＵ認証前の電源入時は光リンク確立およびＯＮＵ認証に関するデータ以外の全てのデータを破棄する動作とする。
【００３５】
すなわち電源断後電源入となったＯＮＵはＯＮＵ認証状態を維持するようにすることにより、電源断後電源入となったＯＮＵ２ａに対し、光送受信盤６１ａがＯＮＵ認証完了前にデータ送受信を開始する場合、ＯＮＵ２ａは到達したデータのうち自端末宛に送信されたデータのみを受信し他のデータを破棄する受信データ処理を実施する。
【００３６】
このように、本発明の実施の形態３では、ＯＮＵ２ａが電源断後電源入した場合に光送受信盤６１ａがＯＮＵ認証完了前にデータ送受信を開始するシーケンスを採用したことにより、ＯＮＵ２ａの電源断後電源入時からデータ送受信開始までの時間を短縮することができ、送信中のデータフレームロスを削減することができる。
【符号の説明】
【００３７】
１    ＯＬＴ
２ａ、２ｂ    ＯＮＵ
４    光ファイバ
５    光カプラ
１１ａ、１１ｂ、１１ｃ    現用系光送受信盤
１２    予備系光送受信盤
１３    切替スイッチ
１４    制御盤
１５    監視制御信号線
２１    ＯＮＵ
３１ａ、３１ｂ    認証済みＯＮＵ
４１    未認証ＯＮＵ
６１ａ、６１ｂ、６１ｃ    光送受信盤
６４    制御盤
７１    ＯＬＴ
１０１ａ、１０１ｂ、１０１ｃ    現用系光送受信入出力
１０２    予備系光送受信入出力
１１１ａ    認証部
１１２ａ    送受信部
１１３ａ    通信制御部
１２１    予備系認証部
１２２    予備系送受信部
１２３    予備系通信制御部
６１１ａ    認証部
６１２ａ    送受信部
６１３ａ    通信制御部
【図１】
2011124702.tif 000003
【図２】
2011124702.tif 000004
【図３】
2011124702.tif 000005
【図４】
2011124702.tif 000006
【図５】
2011124702.tif 000007
【図６】
2011124702.tif 000008
【図７】
2011124702.tif 000009
【図８】
2011124702.tif 000010
【図９】
2011124702.tif 000011
【図１０】
2011124702.tif 000012
【図１１】
2011124702.tif 000013
【図１２】
2011124702.tif 000014